(57)【要約】【課題】光学系の部品の配設位置および原稿押え部材のヒンジ部の取付け位置を変更することによって、省スペース化およびコストの削減化が図れる画像読取装置を提供する【解決手段】画像読取装置１０は、原稿押え部材が一対のヒンジ部２８ａ，２８ｂを介して装置本体上で開閉可能に支持してなる画像読取装置である。原稿からの光源１２による反射光Ｌは、第１反射ミラー１４、第２反射ミラー１６、第３反射ミラー１８およびレンズ２０の順に介して、受光素子２２で受光され、原稿画像の読み込みが行われる。一対のヒンジ部２８ａ，２８ｂは、装置本体部の奥側両端部にそれぞれ配置され、キャリッジ２４の往復移動の際に、第１反射ミラー１４および第２反射ミラー１６が、ヒンジ部２８ａ，２８ｂに干渉しないように、キャリッジ２４両端より所定寸法内側に設けられている。【選択図】図３
2008241837.tif 000002
【特許請求の範囲】
【請求項１】
原稿押え部材が一対のヒンジ部を介して装置本体上で開閉可能に支持してなる画像読取装置であって、
前記装置本体内上部に配置され、かつキャリッジ支持部により往復移動可能に支持されるキャリッジには、光源と、少なくとも第１反射ミラーおよび第２反射ミラーを含む複数の反射ミラーと、レンズと、受光素子とが設けられており、原稿からの前記光源による反射光を、前記複数の反射ミラー、前記レンズの順に介して、前記受光素子で受光して原稿画像の読み込みが行われ、
前記一対のヒンジ部が前記装置本体部の奥側両端部にそれぞれ配置され、前記キャリッジの往復移動の際に、前記第１反射ミラーおよび前記第２反射ミラーが、前記ヒンジ部に干渉しないように、前記キャリッジの往復移動方向において、前記キャリッジ両端より所定寸法内側に設けられていることを特徴とする、画像読取装置。
【請求項２】
前記複数の反射ミラーが、第１反射ミラーと、第２反射ミラーと、第３反射ミラーとを含み、原稿からの前記光源による反射光を、前記第１反射ミラー、前記第２反射ミラー、前記第３反射ミラー、前記レンズの順に介して、前記受光素子で受光することを特徴とする、請求項１に記載の画像読取装置。
【請求項３】
前記第１反射ミラーおよび前記第２反射ミラーが前記キャリッジ支持部より上方に位置し、前記第１反射ミラーから前記第２反射ミラーへの反射光の光路が略水平であることを特徴とする、請求項１または請求項２に記載の画像読取装置。
【発明の詳細な説明】
【技術分野】
【０００１】
本発明は、電子写真方式を用いた複写機、スキャナーなどの画像読取装置に関し、特に、原稿台に載置された原稿を押圧するための原稿押え部材を備えた画像読取装置に関する。
【背景技術】
【０００２】
一般に、複写機等に搭載される画像読取装置は、原稿台（プラテンガラス）に載置された原稿の画像を読み取る際、原稿台から原稿が浮かないように、その上から原稿押え部材（プラテンカバー）で押圧する構造となっている（例えば、特許文献１参照）。
【０００３】
図８は従来の画像読取装置の概略を示す平面構成図である。図８に示すように、画像読取装置本体の内部には、キャリッジ１１４を往復移動可能に支持するガイドポスト１１６が設けられている。さらに、図示していないが、画像読取装置本体の内部に設けた駆動モータによってプーリを介してワイヤ（あるいはベルト）を駆動させ、このワイヤの駆動により、ワイヤに係止したキャリッジ１１４の走査駆動（往復移動）が行われ、従ってキャリッジ１１４に設けた光源１０２の走査駆動も行われる。図８において、一点鎖線で表示した位置が、キャリッジ１１４の最大原稿走査可能位置である。
【０００４】
原稿押え部材（図示せず）は一対のヒンジ部１１８，１１８を介して画像読取装置本体に開閉可能に取り付けられており、その開閉操作は画像読取装置を使用するオペレータによって行われる。一対のヒンジ部１１８，１１８は、画像読取装置本体の奥側（オペレータが立つ位置とは反対の側）の両端寄りに設けられている。
【０００５】
一方、図９は、図８に示した従来の画像読取装置の光学系の構成を説明するための概略断面図である。原稿台１２０の下側に配設されたキャリッジ１１４には、光源１０２、第１反射ミラー１０４、第２反射ミラー１０６、第３反射ミラー１０８、レンズ１１０およびＣＣＤ素子１１２が設けられている。すなわち、光源１０２からの原稿反射光Ｌは、反射ミラー１０４，１０６，１０８およびレンズ１１０を介してＣＣＤ素子１１２で受光するようになっており、この原稿反射光ＬをＣＣＤ素子１１２で受光することにより、原稿画像の読み取りが行われる。
【０００６】
光源１０２、第１反射ミラー１０４、第２反射ミラー１０６および第３反射ミラー１０８は、原稿走査方向と直交する方向に延びている。画像読取装置の光学系は、光源１０２からの放射光Ｌの光路幅が下流側に導かれるにしたがって狭くなる縮小光学系として構成されている。第１反射ミラー１０４および第２反射ミラー１０６の位置はガイドポスト１１６より下方であり、第３反射ミラー、レンズ１１０およびＣＣＤ素子１１２の位置はガイドポスト１１６より上方である。以上のような構成を有する光学系と同様のものは、例えば特許文献２にも記載されている。
【０００７】
【特許文献１】特開２０００−２３１１６３号公報
【特許文献２】特開２００３−１３１３２７号公報
【発明の開示】
【発明が解決しようとする課題】
【０００８】
従来の画像読取装置の光学系は、図９に示すように、第１反射ミラー１０４および第２反射ミラー１０６がキャリッジ１１４の底部に配設されている構成を採用していた。このため、図１０に示すように、光源１０２からの原稿反射光Ｌが、光路の幅が広い状態でキャリッジ１１４の底部に配設された第１反射ミラー１０４および第２反射ミラー１０６に到達されることになる。このため，キャリッジ１１４の下部に空きスペースが少なく、かつ、光源１２の端部をガイドポスト２６よりも突出させる構成を採ることができない。したがって、キャリッジ１１４の奥側の角部を凹ませてキャリッジ１１４とヒンジ部１１８，１１８をオーバーラップさせることができなかった。この結果、図８に示すように、画像読取装置本体の奥側にヒンジ部１１８，１１８のためにスペースを確保する必要があり、その分だけ画像読取装置本体を奥側方向に拡張させなければならず、画像読取装置の奥行き方向の寸法を抑えることが困難であった。しかしながら、一方で、画像読取装置のさらなる省スペース化、コンパクト化が要求されている。
【０００９】
それゆえに、本発明の主たる目的は、光学系の部品の配設位置および原稿押え部材のヒンジ部の取付け位置を変更することによって、省スペース化およびコストの削減化が図れる画像読取装置を提供することである。
【課題を解決するための手段】
【００１０】
請求項１に係る発明は、原稿押え部材が一対のヒンジ部を介して装置本体上で開閉可能に支持してなる画像読取装置であって、装置本体内上部に配置され、かつキャリッジ支持部により往復移動可能に支持されるキャリッジには、光源と、少なくとも第１反射ミラーおよび第２反射ミラーを含む複数の反射ミラーと、レンズと、受光素子とが設けられており、原稿からの光源による反射光を、複数の反射ミラー、レンズの順に介して、受光素子で受光して原稿画像の読み込みが行われ、一対のヒンジ部が装置本体部の奥側両端部にそれぞれ配置され、キャリッジの往復移動の際に、第１反射ミラーおよび第２反射ミラーが、ヒンジ部に干渉しないように、キャリッジの往復移動方向において、キャリッジ両端より所定寸法内側に設けられていることを特徴とする、画像読取装置である。
【００１１】
請求項１の発明では、第１反射ミラーおよび第２反射ミラーをキャリッジ両端より所定寸法内側に設け、かつ、一対のヒンジ部を装置本体部の奥側両端部にそれぞれ配置することにより、キャリッジの往復移動の際に第１反射ミラーおよび第２反射ミラーがヒンジ部に干渉しないようにしている。そして、このような構成を採ることにより、図１に示すように、ガイドポストを画像読取装置本体の手前側に配置した場合には、原稿走査方向と直交する方向においてキャリッジの画像読取装置本体の奥側角部を変形させて（凹ませて）、その変形部分にヒンジ部の一部もしくは全部をくい込ませることができる。すなわち、キャリッジとヒンジ部の一部もしくは全部とをオーバーラップさせることが可能となる。
【００１２】
請求項２に係る発明は、請求項１に係る発明に従属する発明であって、複数の反射ミラーが、第１反射ミラーと、第２反射ミラーと、第３反射ミラーとを含み、原稿からの光源による反射光を、第１反射ミラー、第２反射ミラー、第３反射ミラー、レンズの順に介して、前記受光素子で受光する、画像読取装置である。
【００１３】
請求項２の発明では、光源からの放射光が、第２反射ミラーおよび第３反射ミラーによってそれぞれほとんど逆方向に反射されることにより、ジグザグ状の光路を形成でき、キャリッジのコンパクト化が図れる。
【００１４】
また、請求項３に係る発明は、請求項１または請求項２に係る発明に従属する発明であって、第１反射ミラーおよび第２反射ミラーがキャリッジ支持部より上方に位置し、第１反射ミラーから第２反射ミラーへの反射光の光路が略水平であることを特徴とする、画像読取装置である。
【００１５】
請求項３の発明では、第１反射ミラーおよび第２反射ミラーがキャリッジ支持部より上方に位置し、第１反射ミラーから第２反射ミラーへの反射光の光路が略水平であるため、第１反射ミラーと第２反射ミラーとがキャリッジ上部（キャリッジ支持部より上方の部分）内にスペース効率良く配置される。さらに、第２反射ミラーからキャリッジの底部に配設された第３反射ミラーへの光路の幅は、かなり狭くなる。このため，キャリッジ下部（キャリッジ支持部より下方の部分）内に相当に広い空きスペースができる。
【００１６】
したがって、図４に示すように、光源や第１および第２反射ミラーの端部とキャリッジ支持部とを交差させる構成（光源や第１および第２反射ミラーの端部をキャリッジ支持部よりも突出させる構成）を採ることができる。そして、キャリッジ支持部よりも突出した光源や第１および第２反射ミラーの端部とヒンジ部の一部もしくは全部とをオーバーラップさせることが可能となる。
【発明の効果】
【００１７】
本発明に係る画像読取装置によれば、光学系の部品の配設位置および原稿押え部材のヒンジ部の取付け位置を変更することによって、省スペース化およびコストの削減化が図れる画像読取装置が得られる。
【００１８】
本発明の上述の目的、その他の目的、特徴および利点は、図面を参照して行う以下の発明を実施するための最良の形態の説明から一層明らかとなろう。
【発明を実施するための最良の形態】
【００１９】
（第１の実施の形態）
図１は本発明にかかる画像読取装置１０を示す概略平面構成図であり、図２は画像読取装置１０の光学系の構成を説明するための概略断面図、図３は画像読取装置１０の要部概略拡大図である。
【００２０】
図１に示すように、画像読取装置１０の内部の手前側寄りには、原稿走査方向に延びるガイドポスト（キャリッジ支持部）２６が設けられ、このガイドポスト２６はキャリッジ２４を往復移動可能に支持する。さらに、図示していないが、画像読取装置１０本体の内部に設けた駆動モータによってプーリを介してワイヤ（あるいはベルト）を駆動させ、このワイヤの駆動により、ガイドポスト２６に支持されたキャリッジ２４は、原稿全体にわたって走査するために往復移動が行われ、従ってキャリッジ２４に設けた光源１２の走査駆動も行われる。図１において、一点鎖線で表示した位置が、キャリッジ２４の最大の原稿走査可能位置である。
【００２１】
原稿押え部材の一対のヒンジ部２８ａ，２８ｂは、画像読取装置１０の奥側（オペレータが立つ位置とは反対の側）の両端に設けられている。そして、原稿押え部材は、一対のヒンジ部２８ａ，２８ｂを介して画像読取装置１０本体上で開閉可能に支持されている。
【００２２】
図２に示すように、原稿台（プラテンガラス）３０の下側に配設されたキャリッジ２４には、ＬＥＤアレイや蛍光管などの光源１２と、この光源１２から放射されて原稿の画像面で反射した光を反射させる第１反射ミラー１４、第２反射ミラー１６、第３反射ミラー１８と、これらの反射ミラー１４，１６，１８で反射した光を集光する集光レンズ２０と、この集光レンズ２０で集光された光を受光して電気信号に変換するＣＣＤ素子２２とが設けられている。これらのうち、反射ミラー１４，１６，１８および集光レンズ２０にて、画像読取装置１０の光学系が構成される。
【００２３】
図３に示すように、光源１２、第１反射ミラー１４、第２反射ミラー１６および第３反射ミラー１８は、原稿走査方向と直交する方向に延びている。画像読取装置１０の光学系は、光源１２からの放射光Ｌの光路幅が下流側に導かれるにしたがって狭くなる縮小光学系として構成されている。しかも、光源１２からの放射光Ｌは、第２反射ミラー１６および第３反射ミラー１８によってそれぞれほとんど逆方向に反射されることにより、ジグザグ状の光路を形成し、キャリッジ２４のコンパクト化を図っている。
【００２４】
さらに、第１反射ミラー１４および第２反射ミラー１６は、キャリッジ２４の走査のための往復移動の際に、一対のヒンジ部２８ａ，２８ｂに干渉しないように、キャリッジ２４の往復移動方向（原稿走査方向）において、キャリッジ２４の両端より所定寸法内側に設けられている。すなわち、図２および図３に示すように、第１反射ミラー１４は、キャリッジ２４の右端部から距離Ｗ１だけ内側に配設されている。この距離Ｗ１は、キャリッジ２４が最大の原稿走査可能位置（図１において、一点鎖線で表示した位置）まで移動した際に、ヒンジ部２８ａとオーバーラップする寸法（ヒンジ部２８ａくい込み寸法）Ｒ１より大きい寸法である。また、第２反射ミラー１６は、キャリッジ２４の左端部から距離Ｗ２だけ内側に配設されている。この距離Ｗ２は、キャリッジ２４が静止している位置（図１において、実線で表示した位置）において、ヒンジ部２８ｂとオーバーラップする寸法（ヒンジ部２８ｂくい込み寸法）Ｒ２より大きい寸法である。
【００２５】
この画像読取装置１０は、原稿台３０に載置された原稿でも、ＡＤＦ（Ａｕｔｏ  Ｄｏｃｕｍｅｎｔ  Ｆｅｅｄｅｒ）が搬送中の原稿でも読み取ることが可能となっている。原稿台３０に載置された原稿画像を読み取る場合には、ガラス板などの透明な素材で形成された原稿台３０上に原稿の画像面を下向きにして載置し、キャリッジ２４をガイドポスト２６に沿って移動させながら（つまり、走査しながら）、光源１２から光を放射する。画像面で反射した原稿反射光Ｌは、反射ミラー１４，１６，１８およびレンズ２０を介してＣＣＤ素子２２に結像され、ＣＣＤ素子２２によって原稿画像を読み取って画像データを得る。一方、ＡＤＦが搬送中の原稿画像を読み取る場合には、予め設定された読取位置にキャリッジ２４を静止させて、搬送中の原稿を光源１２で照射する。
【００２６】
以上の構成からなる画像読取装置１０は、第１反射ミラー１４および第２反射ミラー１６をキャリッジ２４の両端よりそれぞれ距離Ｗ１，Ｗ２だけ内側に設け、かつ、一対のヒンジ部２８ａ，２８ｂを装置本体部の奥側両端部にそれぞれ配置することにより、キャリッジ２４の往復移動の際にヒンジ部２８ａ，２８ｂに干渉しないようにしている。そして、このような構成を採ることにより、ガイドポスト２６を画像読取装置１０本体の手前側に配置した場合には、原稿走査方向と直交する方向においてキャリッジ２４の奥側角部を凹ませて、その凹み部分にヒンジ部２８ａ，２８ｂの一部をくい込ませることができる。すなわち、キャリッジ２４とヒンジ部２８ａ，２８ｂの一部とをオーバーラップさせることが可能となる。
【００２７】
この結果、画像読取装置１０本体の奥側にヒンジ部２８ａ，２８ｂのためだけのスペースを確保する必要がなくなり、その分だけ画像読取装置１０の奥行き方向の寸法を抑えることが可能となる。つまり、図１において点線で表示した従来の画像読取装置のサイズより寸法Ｓ１だけサイズダウンでき、省スペース化およびコストの削減化が図れる画像読取装置１０を得ることができる。
【００２８】
（第２の実施の形態）
図４は本発明に係る画像読取装置４０を示す概略平面構成図であり、図５は画像読取装置４０の要部概略斜視図、図６は画像読取装置４０を図５とは別の方向から見た要部概略斜視図、図７は光源１２からの原稿反射光Ｌの光路を示す概略断面図である。
【００２９】
図４に示すように、画像読取装置４０の内部の奥側寄りには、原稿走査方向に延びるガイドポスト（キャリッジ支持部）２６が設けられ、このガイドポスト２６はキャリッジ２４を往復移動可能に支持する。さらに、図示していないが、画像読取装置１０本体の内部に設けた駆動モータによってプーリを介してワイヤ（あるいはベルト）を駆動させ、このワイヤの駆動により、ワイヤに係止されたキャリッジ２４は、原稿全体にわたって走査するために往復移動が行われ、従ってキャリッジ２４に設けた光源１２の走査駆動も行われる。図４において、一点鎖線で表示した位置が、キャリッジ２４の最大の原稿走査可能位置である。
【００３０】
原稿押え部材の一対のヒンジ部２８ａ，２８ｂは、画像読取装置４０の奥側（オペレータが立つ位置とは反対の側）の両端に設けられている。そして、原稿押え部材は、一対のヒンジ部２８ａ，２８ｂを介して画像読取装置４０本体上で開閉可能に支持されている。
【００３１】
図５および図６に示すように、キャリッジ２４には、光源１２と、この光源１２から放射されて原稿の画像面で反射した光を反射させる第１反射ミラー１４、第２反射ミラー１６、第３反射ミラー１８と、これらの反射ミラー１４，１６，１８で反射した光を集光する集光レンズ２０と、この集光レンズ２０で集光された光を受光して電気信号に変換するＣＣＤ素子２２とが設けられている。これらのうち、反射ミラー１４，１６，１８および集光レンズ２０にて、画像読取装置４０の光学系が構成される。
【００３２】
光源１２、第１反射ミラー１４、第２反射ミラー１６および第３反射ミラー１８は、原稿走査方向と直交する方向に延びている。画像読取装置４０の光学系は、図７に示すように、光源１２からの放射光Ｌの光路幅が下流側に導かれるにしたがって狭くなる縮小光学系として構成されている。しかも、光源１２からの放射光Ｌは、第２反射ミラー１６および第３反射ミラー１８によってそれぞれほとんど逆方向に反射されることにより、ジグザグ状の光路を形成し、キャリッジ２４のコンパクト化を図っている。
【００３３】
さらに、第１反射ミラー１４および第２反射ミラー１６は、キャリッジ２４の走査のための往復移動の際に、一対のヒンジ部２８ａ，２８ｂに干渉しないように、前記第１の実施の形態で詳説したと同様の方法で、キャリッジ２４の往復移動方向（原稿走査方向）において、キャリッジ２４の両端より所定寸法内側に設けられている。しかも、第１反射ミラー１４および第２反射ミラー１６はガイドポスト２６より上方に配置され、第１反射ミラー１４から第２反射ミラー１６への反射光Ｌの光路が略水平となるように設定されている。一方、第３反射ミラー１８、レンズ２０およびＣＣＤ素子２２の位置はガイドポスト２６より下方である。
【００３４】
以上の構成からなる画像読取装置４０は、第１反射ミラー１４および第２反射ミラー１６をキャリッジ２４の両端よりそれぞれ所定寸法だけ内側に設け、かつ、一対のヒンジ部２８ａ，２８ｂを装置本体部の奥側両端部にそれぞれ配置することにより、キャリッジ２４の往復移動の際にヒンジ部２８ａ，２８ｂに干渉しないようにしている。
【００３５】
そして、第１反射ミラー１４および第２反射ミラー１６がガイドポスト２６より上方に位置し、第１反射ミラー１４から第２反射ミラー１６への反射光Ｌの光路が略水平であるため、第１反射ミラー１４と第２反射ミラー１６とがキャリッジ２４上部（ガイドポスト２６より上方の部分）内にスペース効率良く配置される。さらに、第２反射ミラー１６からキャリッジ２４の底部に配設された第３反射ミラー１８への光路の幅は、かなり狭くなる。このため，キャリッジ２４下部（ガイドポスト２６より下方の部分）内に相当に広い空きスペースができる。
したがって、図４に示すように、光源１２や第１反射ミラー１４および第２反射ミラー１６の端部をガイドポスト２６よりも突出させる構成を採ることができる。
【００３６】
このような構成を採ることにより、キャリッジ２４の奥側角部を凹ませて、その凹み部分にヒンジ部２８ａ，２８ｂの一部をくい込ませることができる。すなわち、キャリッジ２４とヒンジ部２８ａ，２８ｂの一部とをオーバーラップさせることが可能となる。この結果、画像読取装置４０本体の奥側にヒンジ部２８ａ，２８ｂのためだけのスペースを確保する必要がなくなり、その分だけ画像読取装置４０の奥行き方向の寸法を抑えることが可能となる。つまり、図４において点線で表示した従来の画像読取装置のサイズより寸法Ｓ２だけサイズダウンでき、省スペース化およびコストの削減化が図れる画像読取装置４０を得ることができる。
【００３７】
また、画像読取装置４０は、ガイドポスト２６を画像読取装置４０本体の奥側に配置することができるため、仕様に合わせてガイドポスト２６を画像読取装置本体の奥側に配置する必要がある場合には、画像読取装置４０を採用し、ガイドポスト２６を手前側に配置する必要がある場合には、前記第１実施の形態の画像読取装置１０を採用することができる。したがって、画像読取装置の設計の自由度を高めることができる。
【００３８】
上述した第１の実施の形態例および第２の実施の形態例では、第１反射ミラー１４から第２反射ミラー１６への反射光Ｌの光路が略水平となるように設定されているが、必ずしも、それに限定されるものではなく、キャリッジ２４に対するガイドポスト２６の配置箇所によっては、たとえば５度〜３０度の範囲の傾きをもつ光路となるように、第１反射ミラー１４，第２反射ミラー１６の取り付け位置および取り付け角度等が、調整され、適宜、設定変更され得るものである。
なお、本発明は前記実施の形態に限定されるものではなく、その要旨の範囲内で種々に変形される。
【図面の簡単な説明】
【００３９】
【図１】本発明に係る実施の形態の一例を示す概略平面構成図である。
【図２】図１のＩＩ−ＩＩ概略断面図ある。
【図３】図１に示した画像読取装置の要部概略拡大図である。
【図４】本発明に係る実施の形態の別の一例を示す概略平面構成図である。
【図５】図１に示した画像読取装置の要部概略斜視図である。
【図６】図１に示した画像読取装置を図５とは別の方向から見た要部概略斜視図である。
【図７】図４のＶＩＩ−ＶＩＩ概略断面図である。
【図８】従来の画像読取装置を示す概略平面構成図である。
【図９】図８のＩＸ−ＩＸ概略断面図である。
【図１０】図８のＸ−Ｘ概略断面図である。
【符号の説明】
【００４０】
１０  画像読取装置
１２  光源
１４  第１反射ミラー
１６  第２反射ミラー
１８  第３反射ミラー
２０  レンズ
２２  ＣＣＤ素子
２４  キャリッジ
２６  ガイドポスト（キャリッジ支持部）
２８ａ，２８ｂ  ヒンジ部
４０  画像読取装置
【図１】
2008241837.tif 000003
【図２】
2008241837.tif 000004
【図３】
2008241837.tif 000005
【図４】
2008241837.tif 000006
【図５】
2008241837.tif 000007
【図６】
2008241837.tif 000008
【図７】
2008241837.tif 000009
【図８】
2008241837.tif 000010
【図９】
2008241837.tif 000011
【図１０】
2008241837.tif 000012